(57)【要約】【課題】詰替え容器の中栓を本容器の注ぎ口に押し付けて、できるだけ軽い力で開封できるようにすること。【解決手段】中栓は、長さ方向の一方を開口端とする筒部と、筒部の長さ方向の他方を塞ぐ底片部と、筒部を詰替え容器の口部に固定する取付部とを備え、底片部の外側縁部には、それよりも内側部分に比べて薄肉の脆弱部を筒部に沿って備えるものである。そして、底片部には外側縁部及びそれよりも内側部分に亘って開口端側へ突出する第１隆起部を備えることを特徴とする。【選択図】      図１
2014104987.tif 000002
【特許請求の範囲】
【請求項１】
長さ方向の一方を開口端とする筒部と、筒部の長さ方向の他方を塞ぐ底片部と、筒部を詰替え容器の口部に固定する取付部とを備え、底片部の外側縁部には、それよりも内側部分に比べて薄肉の脆弱部を筒部に沿って備える中栓において、
底片部には外側縁部及びそれよりも内側部分に亘って開口端側へ突出する第１隆起部を備えることを特徴とする中栓。
【請求項２】
第１隆起部は、開口端側へ向かって断面逆Ｖ字状に突出するものであり、
筒部の閉鎖端部には第１隆起部に連続する逆Ｖ字状の切込み凹部を設けてあることを特徴とする請求項１に記載の中栓。
【請求項３】
筒部の内部空間を第１隆起部のある方と無い方に仕切る仕切片部を底片部から筒部の開口端側へ向かって延長する状態で設け、
底片部のうち第１隆起部のある方を開放片部とし、第１隆起部の無い方を閉鎖片部とし、
開放片部の外側縁部のうち筒部に沿う部分を脆弱部とし、開放片部の外側縁部のうち仕切片に沿う部分を、それよりも内側部分に比べて薄肉の屈曲部としてあることを特徴とする請求項１又は２に記載の中栓。
【請求項４】
底片部は、第１隆起部よりも内側部分に第２隆起部を備え、
第２隆起部は、第１隆起部よりも開口端側へ突出していることを特徴とする請求項２又は３に記載の中栓。
【発明の詳細な説明】
【技術分野】
【０００１】
本発明は、詰替え用容器の口部を塞ぐ中栓に関する。
【背景技術】
【０００２】
詰替え用容器は、その中に内容物として液体等が収容されている。そして、内容物を使い切った本容器に、詰替え容器内の内容物を詰め替えることが一般的に行われている。
【０００３】
この詰め替え作業を容易にするために、詰替え容器の容器体に嵌合させるスパウトが公知となっている（特許文献１）。スパウトは、ノズル嵌合筒と、ノズル嵌合筒の内側を塞ぐ閉塞蓋を有しており、閉塞蓋の外側縁部（ノズル嵌合筒に沿う内周部分）を薄肉の破断線としたものである。
【０００４】
このスパウトを使って内容物を詰替えようとする場合は、詰め替え容器を上下逆にしてスパウトを、空になった本容器の上方に突出するノズルへ押し付け、スパウトの閉塞蓋をノズルによって押し込み、破断線から閉塞蓋を破るようにしていた。
【先行技術文献】
【特許文献】
【０００５】
【特許文献１】特開２０１０−２６０５５３号公報
【発明の概要】
【発明が解決しようとする課題】
【０００６】
しかしながら、閉塞栓は平板状であることから、ノズルの先端が概ね平らであると、開封時に押し込む力は、ノズルの先端にかかることになり、ノズル先端の接触面積が広いほど、開封には大きな力を要することになる。
【０００７】
本発明は、上記実情を考慮したもので、詰替え容器の中栓をできるだけ軽い力で開封できるようにすることを目的とする。
【課題を解決するための手段】
【０００８】
本発明の中栓は、長さ方向の一方を開口端とする筒部と、筒部の長さ方向の他方を塞ぐ底片部と、筒部を詰替え容器の口部に固定する取付部とを備え、底片部の外側縁部には、それよりも内側部分に比べて薄肉の脆弱部を筒部に沿って備えるものを前提とする。そして、底片部には外側縁部及びそれよりも内側部分に亘って開口端側へ突出する第１隆起部を備えることを特徴とする。
【０００９】
この中栓が固定された詰め替え容器は、その内容物を詰替える対象として、以下の本容器を用いる。本容器は、口部の口径方向内側から注ぎ口が口部よりも上方に突出しており、この注ぎ口が樋状（溝状）のものである。
【００１０】
また、第１隆起部は、筒部の開口端側へ突出していれば良く、その形状は問わないが、具体的には、次のようにすることが望ましい。
すなわち、第１隆起部は、開口端側へ向かって断面逆Ｖ字状に突出するものであり、筒部の閉鎖端部には第１隆起部に連続する逆Ｖ字状の切込み凹部を設けてあることである。
【００１１】
さらに、底片部は、その外側縁部の全周（筒部に沿う内周全周）を脆弱部とするものであっても良いが、次のようにすれば注ぎ口に対して中栓の位置決めがしやすくなる。
すなわち、筒部の内部空間を第１隆起部のある方と無い方に仕切る仕切片部を底片部から筒部の開口端側へ向かって延長する状態で設け、底片部のうち第１隆起部のある方を開放片部とし、第１隆起部の無い方を閉鎖片部とし、開放片部の外側縁部のうち筒部に沿う部分を脆弱部とし、開放片部の外側縁部のうち仕切片に沿う部分を、それよりも内側部分に比べて薄肉の屈曲部としてあることである。
【００１２】
また、注ぎ口に対して第１隆起部が当たって脆弱部が破損して底片部が開くと、その開いた底片部が注ぎ口を部分的に塞ぐようになる。注ぎ口から内容物を排出しやすくするには、注ぎ口に何かが当たるようにして底片部をより大きな角度で開くようにすることが望ましい。
すなわち、底片部は、第１隆起部よりも内側部分に第２隆起部を備え、第２隆起部は、第１隆起部よりも開口端側へ突出していることである。
【発明の効果】
【００１３】
本発明の中栓によれば、中栓が固定された詰替え容器の内容物を、樋状の注ぎ口を有する本容器に詰替える際に、本容器の注ぎ口に中栓を当てて詰替え容器を押し込むと、開口端側へ突出している第１隆起部が注ぎ口に当たり、その押し込み力が第１隆起部に集中するので、脆弱部が破損し易くなり、第１隆起部の無い構造に比べて軽い力で中栓を開封することができる。
【００１４】
また、筒部の内部空間を仕切る仕切片部を底片部から筒部の開口端側へ延長する状態で設けた場合には、仕切片部によって筒部の内部空間が分割されて、その分割された空間によって注ぎ口を位置決めし易くなり、中栓を開封し易くなる。しかも、開放片部の外側縁部全体が薄肉となっているので、脆弱部が破損するだけでなく、その支点となる屈曲部が折れ曲がりやすくなり、開放片部が開き易くなる。
【００１５】
さらに、底片部に第１隆起部だけでなく第２隆起部を設け、その第２隆起部を第１隆起部よりも開口端側へ突出させてある場合には、開封後に第２隆起部が注ぎ口に当たることによって、底片部が第２隆起部の無いものに比べて大きな角度で開くようになり、注ぎ口を塞ぐ部分が減り、注ぎ口から内容物を排出しやすくなる。
【図面の簡単な説明】
【００１６】
【図１】（ａ）〜（ｆ）図は、本発明の第１実施形態の中栓を示す正面図、右側面図、平面図、背面図、底面図、Ｘ−Ｘ線切断部断面図である。
【図２】詰替え容器に固定された中栓を本容器の注ぎ口に接触させた状態を示す要部断面図である。
【図３】詰替え容器に固定された中栓を本容器の注ぎ口に少し押し当てた状態を示す要部断面図である。
【図４】詰替え容器に固定された中栓が開封された状態を示す要部断面図である。
【図５】中栓の第２隆起部とノズルの注ぎ口との位置関係を示す平面図である。
【図６】本容器を示す平面図である。
【図７】本容器と、中栓付きの詰替え容器を示す斜視図である。
【発明を実施するための形態】
【００１７】
図２、図６又は図７に示すように、本発明の中栓１の取付対象となる詰替え容器Ｂ１は、その前提として本容器Ａ１を使用対象とする。本容器Ａ１は、本容器本体Ａ２と、本容器本体Ａ２に連結するノズルＡ３と、ノズルＡ３に着脱可能な図示しないキャップを備えている。
【００１８】
本容器本体Ａ２は、筒状胴部Ａ２１の底が閉鎖されており、胴部Ａ２１の上端には口径を狭くする肩部Ａ２２が連続し、肩部Ａ２２の口径方向内側から口部Ａ２３が起立している。
【００１９】
この口部Ａ２３に連結するノズルＡ３は、口部Ａ２３に対して口径方向外側に配置される外壁Ａ３１と、口部Ａ２３に対して口径方向内側に配置される内壁Ａ３２を備えている。内壁Ａ３２と外壁Ａ３１は同心円状に配置され、いずれも円筒状となっている。外壁Ａ３１は、口部Ａ２３の外周面を覆うようになっており、口部Ａ２３に対してネジの締め付け等によって連結される。また、外壁Ａ３１と内壁Ａ３２をこれらの上端で接合する天壁Ａ３３がリング状に形成されており、天壁Ａ３３から口壁Ａ３４が上方に突出している。そして、口壁Ａ３４の外周面には雄ネジＡ３４ａが形成されており、図示しないキャップを取り付けるようになっている。その上、内壁Ａ３２の下端にはその全周に亘って口径を狭める方向に狭壁Ａ３５が環状に突出しており、狭壁Ａ３５の内側には排出口Ａ３５ａが形成されている。平面視すると排出口Ａ３５ａは、円形の一部を直線で切除したような、半円よりも大きな形状であって、外形にはＣ字状の部分を有するものとなる。そして、この排出口Ａ３５ａのＣ字状の部分（狭壁Ａ３５の内側縁部に形成されるＣ字状の部分）から内容物を外部へ導くように注ぎ口Ａ３６が起立して設けられている。
【００２０】
注ぎ口Ａ３６は、全体として樋状というか溝状（より詳しく言えば平面視Ｃ溝状）であって、その全体をＣ溝状の円弧方向に大まかに三等分するように分ければ、中央部の溝底壁Ａ３６ａと、溝底壁Ａ３６ａの両外側に設けられる一対の溝側壁Ａ３６ｂ、Ａ３６ｂとから構成されている。
【００２１】
注ぎ口Ａ３６は、狭壁Ａ３５から口壁Ａ３４よりも上方にまで延長して形成されている。注ぎ口Ａ３６の溝底壁Ａ３６ａは、高さ方向については、図７に示すように、ぼぼ平らで、その溝幅方向中央部が最も高くなるように僅かに円弧状に膨らんでいる（湾曲している）。
【００２２】
一対の溝側壁Ａ３６ｂ、Ａ３６ｂは、側面視すると、口壁Ａ３４よりも上方に突出している部分が、円弧状に膨らむように湾曲しており、この湾曲具合は、溝底壁Ａ３６ａのそれよりも急である。
【００２３】
また、注ぎ口Ａ３６の口径方向外側には間隔をおいて口壁Ａ３４や内壁Ａ３２が配置されており、このような本容器Ａ１を使用対象とするのが、詰替え容器Ｂ１である。
【００２４】
詰替え容器Ｂ１は、詰替え容器本体Ｂ２と、図示しないキャップとから構成されている。ボトル状容器である。より具体的に言えば詰替え容器本体Ｂ２は、筒状胴部Ｂ２１を主として有しており、胴部Ｂ２１の底を閉鎖すると共に、胴部Ｂ２１の上端には口径を狭くする方向へ肩部Ｂ２２が突出し、肩部Ｂ２２の口径方向内側から筒状の口部Ｂ２３が起立している。詰替え容器本体Ｂ２内には、内容物として、例えば液体が収容されている。このような詰替え容器Ｂ１に用いられるのが本発明の中栓１である。
【００２５】
本発明の第１実施形態の中栓１は、プラスチック製品であって、図１に示すように、詰替え容器Ｂ１の口部Ｂ２３に固定され、しかも、本容器本体Ａ２の注ぎ口Ａ３６に位置決めして挿入可能なように、これらの形状を考慮に入れて設計される。この中栓１は、詰替え容器Ｂ１の口部Ｂ２３の内側に挿入する筒部２と、筒部２の長さ方向の一方である開口端２ａの方（以下、「開口端側」という。）を口部Ｂ２３に固定する取付部３と、筒部２の長さ方向の他方を塞ぐ底片部４と、底片部４から筒部２の開口端側へ延長すると共に筒部２の内部空間を仕切る仕切片部５を備えている。
【００２６】
筒部２は、その閉鎖端側に切込み凹部２１を備えている。切込み凹部２１は、開口端側へ向かって逆Ｖ字状に窪んでいる。
【００２７】
取付部３は、筒部２の開口端側から口径方向外側に突出するフランジ部３１と、フランジ部３１の外側縁部の全周から垂下するリング部３２とから構成される。この取付部３と筒部２の上端部との間に環状の空間が形成され、この空間に詰替え容器Ｂ１の口部Ｂ２３先端部を圧入することにより、詰替え容器Ｂ１に中栓１が固定される。
【００２８】
仕切片部５は、平面視すると、筒部２の内側に架設する状態となっており、この架設方向の垂直二等分線上には逆Ｖ字状に窪んだ切込み凹部２１の頂部が位置するようになっている。また、架設方向の全長は、切込み凹部２１の下端の開口幅よりも長くなっている。さらに、仕切片部５は、筒部２の長さ方向全長に亘って延長することにより、筒部２の内部空間を分割し、一方の分割空間を詰替え容器Ｂ１の内容物が通過する空間（以後、「通過空間５ａ」と言う。）とし、他方の分割空間を単なる閉鎖空間５ｂとする。この通過空間５ａに本容器Ａ１の注ぎ口Ａ３６を収容し、注ぎ口Ａ３６の外側を筒部２と仕切片部５とで囲むように案内することによって、本容器Ａ１を位置決めする。
【００２９】
底片部４は、閉鎖空間５ｂに面する閉鎖片部４１と、通過空間５ａに面する開放片部４２とを備えている。
【００３０】
閉鎖片部４１は、その反開口端側の面（閉鎖空間５ｂを向いていない面）を仕切片部５から遠ざかるにつれて反開口端側へ向かうように傾斜が付いている。
【００３１】
開放片部４２は、その外側縁部４４と、外側縁部４４以外の部分（外側縁部４４よりも内側の部分）である開放片本体部４３とを備えている。また、外側縁部４４は、開放片本体部４３及び筒部２よりも肉厚を薄く形成してあり、筒部２に沿う部分を脆弱部４４ａとし、仕切片部５に沿う部分を屈曲部４４ｂとする。そして、脆弱部４４ａと屈曲部４４ｂとは環状に連続している。脆弱部４４ａは、筒部２の下端に沿って連続する円弧状（図示の例では平面視して半円よりも大きな円弧状）であり、屈曲部４４ｂは、仕切片部５の下端に沿って連続する直線状となっている。そして、これら脆弱部４４ａ、屈曲部４４ｂ及び開放片本体部４３によって、通過空間５ａを塞いでいる。
【００３２】
また、開放片本体部４３は、筒部２の深さの基準となる基底部４３ａと、基底部４３ａに対して開口端側へ突出する第１隆起部４３ｂと、第１隆起部４３ｂよりも開口端側へ突出する第２隆起部４３ｃとを備えている。また、第１隆起部４３ｂと第２隆起部４３ｃを開放片本体部４３は備えていることから、これらに面する通過空間５ａは、仕切片部５によって第１隆起部４３ｂ等のある方の空間となり、閉鎖空間５ｂは第１隆起部４３ｂ等の無い方の空間となる。
【００３３】
基底部４３ａは、平板状であり、平面視すると、仕切片部５の架設方向に沿う帯状部分４３ａ１と、帯状の部分の両端から筒部２（脆弱部４４ａ）の内周に沿って延長する非常に細い円弧状部分４３ａ２とから構成され、ほぼコの字状に囲むように形成されている。
【００３４】
第１隆起部４３ｂは、切込み凹部２１に連続するように設けられる関係上、開放片本体部４３だけでなく、脆弱部４４ａの対応する部分に亘って設けられている。また、第１隆起部４３ｂは切込み凹部２１の窪みに対応して断面逆Ｖ字状に開口端側へ突出しており、且つ開放片本体部４３の内側に向かうにつれて徐々に突出量が小さくなっている。
【００３５】
第２隆起部４３ｃは、第１隆起部４３ｂよりも筒部２の口径方向内側に設けられており、より詳しく言えば、第１隆起部４３ｂと基底部４３ａとの間に囲まれるようにして設けられている。第２隆起部４３ｃは、平面視すると、ほぼ矩形であって、ほぼ矩形の四辺のうち二辺は、筒部２に沿うように円弧状になっており、残りの二辺は、仕切片部５と平行な直線状となっている。このため、直線状となっている二辺のうち一辺は、第１隆起部４３ｂ側に位置している。また、第２隆起部４３ｃは、前記したように第１隆起部４３ｂよりも開口端側へ突出しているが、その突出具合をより詳しく言えば、第２隆起部４３ｃは、第１隆起部４３ｂ側から仕切片部５へ向かうにつれて、徐々に開口側へ突出し、その後、徐々に閉鎖端側へ下がっていくようになっている。また、第２隆起部４３ｃは、幅方向（仕切片部５の架設方向と平行な方向）については、切込み凹部２１の逆Ｖ字状の頂部は勿論、逆Ｖ字状の下端の開口幅よりも幅広く、筒部２の内周に対して接近する位置にまで形成されている。この幅方向に対して直交する方向へ延長するリブ４３ｄが第２隆起部４３ｃの反開口端側の面には形成されている。
【００３６】
上記した中栓１付きの詰替え容器Ｂ１は、次のようにして使用する。
（１）詰替え容器Ｂ１を上下逆さまにしてその中栓１を、本容器本体Ａ２の注ぎ口Ａ３６に対して挿入すると、図２に示すように、中栓１の筒部２が注ぎ口Ａ３６の外周面（平面視してＵ字状の外面）に沿いつつ、中栓１の仕切片部５が注ぎ口Ａ３６の端面（側面視して円弧状となっている部分の上面）に沿うようにして案内される。このとき、注ぎ口Ａ３６の先端が第１隆起部４３ｂに接触した状態となる。
【００３７】
（２）次に詰替え容器Ｂ１を僅かに押し下げると、図３に示すように注ぎ口Ａ３６の先端には第２隆起部４３ｃも第１隆起部４３ｂと一緒に接触した状態となる。因みに、第２隆起部４３ｃを前述したように筒部２の内周に対して接近する位置にまで幅広く設けてあったのは、図５において、第２隆起部４３ｃをハッチングで示しているように、注ぎ口Ａ３６の一対の溝側壁Ａ３６ｂ、Ａ３６ｂに第２隆起部４３ｃを恰も架設するように接触した状態とするためである。
【００３８】
（３）更に、詰替え容器Ｂ１を押し下げると、図４に示すように、脆弱部４４ａが破損して、屈曲部４４ｂを支点にして開放片部４２が開き、最終的には第２隆起部４３ｃが注ぎ口Ａ３６の端面に当接した状態となって、開放片部４２が大きく開口した状態となり、注ぎ口Ａ３６の端面と開放片部４２との間には大きな隙間が形成される。そして、この大きな隙間を利用しながら、詰替え容器Ｂ１内の内容物が本容器本体Ａ２に流れ込む。また、中栓１の閉鎖片部４１の反開口端側の面（図４での上面）側が傾斜していることから、閉鎖片部４１の上面に内容物が溜まることなく排出される。しかも、第２隆起部４３ｃの反開口端側の面も水平に対して傾斜面となることから、同様に内容物が排出される。
【００３９】
本発明は上記実施形態に限定されるものではない。例えば、開放片部４２は、第１隆起部４３ｂのみの形態、つまり第２隆起部４３ｃの無い形態であっても良く、この場合、開放片本体部４３は、基底部４３ａと第１隆起部４３ｂのみで構成される。
【符号の説明】
【００４０】
１中栓
２筒部
２ａ開口端
２１切込み凹部
３取付部
３１フランジ部
３２リング部
４底片部
４１閉鎖片部
４２開放片部
４３開放片本体部
４３ａ基底部
４３ａ１帯状部分
４３ａ２円弧状部分
４３ｂ第１隆起部
４３ｃ第２隆起部
４３ｄリブ
４４外側縁部
４４ａ脆弱部
４４ｂ屈曲部
５仕切片部
５ａ通過空間
５ｂ閉鎖空間
【００４１】
Ａ１本容器
Ａ２本容器本体
Ａ２１胴部
Ａ２２肩部
Ａ２３口部
Ａ３ノズル
Ａ３１外壁
Ａ３２内壁
Ａ３３天壁
Ａ３４口壁
Ａ３４ａ雄ネジ
Ａ３５狭壁
Ａ３５ａ排出口
Ａ３６注ぎ口
Ａ３６ａ溝底壁
Ａ３６ｂ溝側壁
【００４２】
Ｂ１詰替え容器
Ｂ２詰替え容器本体
Ｂ２１胴部
Ｂ２２肩部
Ｂ２３口部
【図１】
2014104987.tif 000003
【図２】
2014104987.tif 000004
【図３】
2014104987.tif 000005
【図４】
2014104987.tif 000006
【図５】
2014104987.tif 000007
【図６】
2014104987.tif 000008
【図７】
2014104987.tif 000009